(57)【要約】【課題】透明板保持枠が不正に開放されるのを効果的に防止可能であり、部品点数が増加したり構造が複雑にならない不正解錠防止機構を備える遊技機を提供する。【解決手段】シリンダー錠１１０に、錠軸１１２が待機位置にある場合に回動が可能で、鍵を抜いた際に錠軸１１２が回動しない連結ロック機構を設け、待機位置にあるときには前面枠ロック部材１４０及びガラス枠ロック部材１５０が前面枠３及びガラス枠４の双方を閉状態で維持可能な位置となるように移動部材１３０の位置を付勢手段により保持し、シリンダー錠の錠軸１１２を第一位置にして移動部材１３０を移動させ、前面枠ロック部材１４０を前面枠３が開放可能となる開放位置とし、錠軸１１２を第二位置にして移動部材１３０を移動させ、ガラス枠ロック部材１５０をガラス枠４が開放可能となる開放位置とし、鍵を抜いた際に移動部材１３０を移動させないようにした。【選択図】図４
2008245919.tif 000002
【特許請求の範囲】
【請求項１】
基枠と、
前記基枠の前面側に前方に開閉可能に組み付けられた前面枠と、
前記前面枠に対して開閉可能な透明板保持枠と、
前記前面枠と前記透明板保持枠の開閉状態を施錠する施錠機構と、
を備えた遊技機において、
前記施錠機構は、
鍵が挿入可能に構成されると共に、挿入された前記鍵の操作と共に作動する作動部を有するシリンダー錠と、
前記作動部と連設され、前記作動部の作動に連動する第一突起と第二突起が設けられた連結部材と、
前記第一突起と前記第二突起が各々挿入可能な第一連結孔と第二連結孔とが形成され、前記連結部材の動きに連動して移動する移動部材と、
前記移動部材の移動に起因して作動し、前記前面枠を開閉可能とするための第一ロック部材と、
前記移動部材の移動に起因して作動し、前記透明板保持枠を開閉可能とするための第二ロック部材と、
を備え、
前記シリンダー錠は、前記作動部が待機位置にある場合にのみ前記鍵の抜き出しが可能にされると共に、前記鍵を挿入した際に前記作動部の作動が可能で、且つ前記鍵を抜いた際には前記作動部の作動を制限する連結ロック機構が設けられ、
前記作動部が待機位置にあるときには前記第一ロック部材及び前記第二ロック部材が前記前面枠及び前記透明板保持枠の双方を閉状態で維持可能な位置となるように前記移動部材の位置を付勢手段により保持し、
前記シリンダー錠に前記鍵を挿入し、前記作動部を第一位置に移動させることによって前記第一突起が前記第一連結孔を介して前記移動部材を移動すると共に前記第一ロック部材を前記前面枠が開放可能となる開放位置に作動し、前記作動部を第二位置に移動させることによって前記第二突起が前記第二連結孔を介して前記移動部材を移動すると共に前記第二ロック部材を前記透明板保持枠が開放可能となる開放位置に作動するように構成され、
前記鍵を前記シリンダー錠から抜いて前記作動部の作動を制限している時は前記第一連結孔と前記第二連結孔にそれぞれ前記第一突起と前記第二突起が進入した状態となり、前記移動部材の移動を規制して前記第一ロック部材及び前記第二ロック部材が前記前面枠及び前記透明板保持枠を開放可能な開放位置に作動しないようにすることを特徴とする遊技機。
【請求項２】
基枠と、
前記基枠の前面側に前方に開閉可能に組み付けられた前面枠と、
前記前面枠に対して開閉可能な透明板保持枠と、
前記前面枠と前記透明板保持枠の開閉状態を施錠する施錠機構と、
を備えた遊技機において、
前記施錠機構は、
鍵が挿入可能に構成されると共に、挿入された前記鍵の操作と共に作動する作動部を有するシリンダー錠と、
前記作動部と連設され、前記作動部の作動に連動する連結部材と、
前記連結部材の動きに連動して移動する移動部材と、
前記移動部材の移動に起因して作動し、前記前面枠を開閉可能とするための第一ロック部材と、
前記移動部材の移動に起因して作動し、前記透明板保持枠を開閉可能とするための第二ロック部材と、
を備え、
前記シリンダー錠は、前記作動部が待機位置にある場合にのみ前記鍵の抜き出しが可能にされると共に、前記鍵を挿入した際に前記作動部の作動が可能で、且つ前記鍵を抜いた際には前記作動部の作動を制限する連結ロック機構が設けられ、
前記作動部が待機位置にあるときには前記第一ロック部材及び前記第二ロック部材が前記前面枠及び前記透明板保持枠の双方を閉状態で維持可能な位置となるように前記移動部材の位置を付勢手段により保持し、
前記シリンダー錠に前記鍵を挿入し、前記作動部を第一位置に移動させることによって前記連結部材が前記移動部材を移動すると共に前記第一ロック部材を前記前面枠が開放可能となる開放位置に作動し、前記作動部を第二位置に移動させることによって前記連結部材が前記移動部材を移動すると共に前記第二ロック部材を前記透明板保持枠が開放可能となる開放位置に作動するように構成され、
前記鍵を前記シリンダー錠から抜いた際には、前記連結ロック機構により前記作動部の作動が制限されることにより、前記作動部に連結された前記連結部材及び前記移動部材の移動が規制されて前記第一ロック部材及び前記第二ロック部材が前記前面枠及び前記透明板保持枠を開放可能な開放位置に作動しないように形成されていることを特徴とする遊技機。
【発明の詳細な説明】
【技術分野】
【０００１】
本発明は、透明板保持枠の不正な解錠を防止した遊技機に関する。
【背景技術】
【０００２】
従来、パチンコ遊技機等の遊技機は、額縁形状の基枠の前面に前方へ開放可能に取り付けられ前面枠と、前記前面枠に対して開閉可能なガラス枠等の透明板保持枠が取り付けられている。そしてこれら遊技機は、前記前面枠と前記透明板保持枠の開閉状態を施錠する施錠機構を備えている。上記施錠機構は、鍵を使用して連結部材を可動させて解錠すると、この連結部材に連動して移動部材が移動し、この移動部材によって作動する前面枠や透明板保持枠を係止している係止部材の係止が解除され、前記前面枠や透明板保持枠を開放できるように形成されている。
【０００３】
そのため、基枠と前面枠との間から針金等の不正解錠用の部材を差し込んで、前記移動部材を移動させて係止部材の係止を解除することで、前面枠や透明板保持枠等が解錠されて不正行為が行われる虞があった。そこで遊技機に対する不正行為を防止するために、不正解錠を防止するための手段を施錠機構に設けた遊技機が公知である（例えば特許文献１及び特許文献２参照）。
【０００４】
特許文献１に記載の遊技機は、図１５に示すように、固定基部１１０１の固定壁１１０４に解錠機構１１２０が設けられ、鍵を解錠機構１１２０の鍵穴に挿入し、鍵と共に回動する解錠爪１１２２を時計回りに回すと、解錠爪１１２２によりリンク部材１１０９が上方に押され、係止部１１０３ａ、１１０３ｂと被係止部との係合が解除され、前面枠を開くことが可能に形成されている。また鍵と解錠爪１１２２を反時計方向に回すと、ガラス枠施錠部材１１０７が下方に移動して、ガラス枠の被係合部材とガラス枠施錠部材１１０７に連動する鈎部材との係合が解除されてガラス枠を開くことが可能に形成されている。
【０００５】
特許文献１に記載の遊技機は、不正解錠防止手段として、側部保護壁１１３１と上部保護壁１１３２からなる保護壁を固定基部１１０１と一体に設けてなるものである。この遊技機では、該遊技機の上方側或いは前面側の前面枠と基枠との隙間から不正解錠用部材を挿入したときに、不正解錠用部材が側部保護壁１１３１或いは上部保護壁１１３２に干渉して、係止部１１０３及びリンク部材１１０９を外部から操作して不正解錠を防止するものである。
【０００６】
特許文献２に記載の遊技機は図１６に示すように、鍵をシリンダー錠１２１０に差し込み右に回すと、錠軸と共にカム板１２０９が回動し、その係合部が連動杆１２０４を上方に摺動させるように形成されている。また、鍵をシリンダー錠１２１０に差し込み左に回してカム板１２０９を反対方向に回動させると、カム板１２０９の係合部がガラス枠施錠杆１２１２を下方に摺動させるように形成されている。鍵を右に回して連動杆１２０４が上方に摺動すると、上下の鈎部材１２０５ａ、１２０５ｂが傾動する。鈎部材１２０５ａ、１２０５ｂは、基枠の被係合部と係合している。鈎部材１２０５ａ、１２０５ｂの傾動により、被係合部との係合が外れて前面枠が解錠される。鈎部１２１３ａ、１２１３ｂは、ガラス枠の被係合部と係合している。ガラス枠施錠杆１２１２が下方に移動すると、鈎部１２１３ａ、１２１３ｂが下方に移動することにより、被係合部との係合が外れてガラス枠が解錠される。
【０００７】
特許文献２に記載の遊技機の不正解錠防止手段は、上下の鈎部材１２０５ａ、１２０５ｂを独立して傾動可能に構成し、上下の鈎部材を同時に解錠方向に引くことを困難として不正解錠を防止している。また特許文献２に記載の不正解錠防止手段は、上下の鈎部材１２０５ａ、１２０５ｂ及び連動杆１２０４を支持板１２０３の外側に配置して、基枠と前面枠との隙間から挿入された不正解錠部材が連動杆１２０４に届かないようにして、連動杆１２０４を動かして前面枠を解錠する不正解錠を防止するものである。
【０００８】
【特許文献１】特開２００３−１８１０９８号公報
【特許文献２】特開２００３−２６５８１６号公報
【発明の開示】
【発明が解決しようとする課題】
【０００９】
しかしながら上記特許文献１に記載の遊技機は、鍵を使用しなくてもガラス枠施錠部材を外から下に押し下げれば、係合が解除されてガラス枠は開放してしまう構成となっている。
【００１０】
また上記特許文献２に記載の遊技機は、ガラス枠施錠杆１２１２を下に押し下げることで、鈎部材１２１３、１２１４が同時に移動して、ガラス枠との係止が解除されてしまうという問題があった。
【００１１】
上記のように、従来の遊技機は主に前面枠の不正解錠を防止することを目的としており、ガラス枠の不正解錠を直接的に防止することを目的とするものではなかった。その為、ガラス枠が開放されると、遊技盤面の釘に細工を施す等の不正行為が容易に行われてしまうので、ガラス枠が不正に解錠されることを防止することが要求されている。
【００１２】
上記従来の遊技機の解錠機構は、シリンダー錠の鍵穴に鍵を差し込まない状態であっても、係止用の鈎部材又は該鈎部材を動かすガラス枠施錠杆等の部材を何らかの手段で動かすことができれば、不正に鈎部材又はガラス枠施錠杆を操作して、ガラス枠が開放されてしまうという虞があった。
【００１３】
上記実状に鑑み、本発明が解決しようとする課題は、透明板保持枠が不正に開放されるのを効果的に防止可能な施錠機構を備えた遊技機を提供することにある。
【課題を解決するための手段】
【００１４】
上記課題を解決するために、本発明遊技機は、請求項1に記載のように、枠と、前記基枠の前面側に前方に開閉可能に組み付けられた前面枠と、前記前面枠に対して開閉可能な透明板保持枠と、前記前面枠と前記透明板保持枠の開閉状態を施錠する施錠機構と、を備えた遊技機において、前記施錠機構は、鍵が挿入可能に構成されると共に、挿入された前記鍵の操作と共に作動する作動部を有するシリンダー錠と、前記作動部と連設され、前記作動部の作動に連動する第一突起と第二突起が設けられた連結部材と、前記第一突起と前記第二突起が各々挿入可能な第一連結孔と第二連結孔とが形成され、前記連結部材の動きに連動して移動する移動部材と、前記移動部材の移動に起因して作動し、前記前面枠を開閉可能とするための第一ロック部材と、前記移動部材の移動に起因して作動し、前記透明板保持枠を開閉可能とするための第二ロック部材と、を備え、前記シリンダー錠は、前記作動部が待機位置にある場合にのみ前記鍵の抜き出しが可能にされると共に、前記鍵を挿入した際に前記作動部の作動が可能で、且つ前記鍵を抜いた際には前記作動部の作動を制限する連結ロック機構が設けられ、前記作動部が待機位置にあるときには前記第一ロック部材及び前記第二ロック部材が前記前面枠及び前記透明板保持枠の双方を閉状態で維持可能な位置となるように前記移動部材の位置を付勢手段により保持し、前記シリンダー錠に前記鍵を挿入し、前記作動部を第一位置に移動させることによって前記第一突起が前記第一連結孔を介して前記移動部材を移動すると共に前記第一ロック部材を前記前面枠が開放可能となる開放位置に作動し、前記作動部を第二位置に移動させることによって前記第二突起が前記第二連結孔を介して前記移動部材を移動すると共に前記第二ロック部材を前記透明板保持枠が開放可能となる開放位置に作動するように構成され、前記鍵を前記シリンダー錠から抜いて前記作動部の作動を制限している時は前記第一連結孔と前記第二連結孔にそれぞれ前記第一突起と前記第二突起が進入した状態となり、前記移動部材の移動を規制して前記第一ロック部材及び前記第二ロック部材が前記前面枠及び前記透明板保持枠を開放可能な開放位置に作動しないようにすることを備えたことを要旨とするものである。
【００１５】
また本発明遊技機は、請求項２に記載のように、基枠と、前記基枠の前面側に前方に開閉可能に組み付けられた前面枠と、前記前面枠に対して開閉可能な透明板保持枠と、前記前面枠と前記透明板保持枠の開閉状態を施錠する施錠機構と、を備えた遊技機において、前記施錠機構は、鍵が挿入可能に構成されると共に、挿入された前記鍵の操作と共に作動する作動部を有するシリンダー錠と、前記作動部と連設され、前記作動部の作動に連動する連結部材と、前記連結部材の動きに連動して移動する移動部材と、前記移動部材の移動に起因して作動し、前記前面枠を開閉可能とするための第一ロック部材と、前記移動部材の移動に起因して作動し、前記透明板保持枠を開閉可能とするための第二ロック部材と、を備え、前記シリンダー錠は、前記作動部が待機位置にある場合にのみ前記鍵の抜き出しが可能にされると共に、前記鍵を挿入した際に前記作動部の作動が可能で、且つ前記鍵を抜いた際には前記作動部の作動を制限する連結ロック機構が設けられ、前記作動部が待機位置にあるときには前記第一ロック部材及び前記第二ロック部材が前記前面枠及び前記透明板保持枠の双方を閉状態で維持可能な位置となるように前記移動部材の位置を付勢手段により保持し、前記シリンダー錠に前記鍵を挿入し、前記作動部を第一位置に移動させることによって前記連結部材が前記移動部材を移動すると共に前記第一ロック部材を前記前面枠が開放可能となる開放位置に作動し、前記作動部を第二位置に移動させることによって前記連結部材が前記移動部材を移動すると共に前記第二ロック部材を前記透明板保持枠が開放可能となる開放位置に作動するように構成され、前記鍵を前記シリンダー錠から抜いた際には、前記連結ロック機構により前記作動部の作動が制限されることにより、前記作動部に連結された前記連結部材及び前記移動部材の移動が規制されて前記第一ロック部材及び前記第二ロック部材が前記前面枠及び前記透明板保持枠を開放可能な開放位置に作動しないように形成されていることを要旨とするものである。
【発明の効果】
【００１６】
請求項１及び請求項２の本発明遊技機は、上記構成を備えているから、透明板保持枠が不正に開放されるのを効果的に防止可能である。
【００１７】
また、本発明遊技機は、鍵を鍵穴に差し込まない状態では、移動部材をロックされた状態で移動させることができないので、透明板保持枠の開放を遊技機裏面側から行うのも困難にすることが可能になる。その結果、施錠状態において遊技機前面側から解錠機構の不正な外的操作に基づく解錠行為を防止することが可能となる。
【発明を実施するための最良の形態】
【００１８】
以下、本発明の実施例について図面を用いて詳細に説明する。図１は本発明遊技機の一例を示す正面図であり、図２は図１の背面図であり、図３は図１の遊技機のガラス枠を開放した状態を示す斜視図であり（尚、図３では遊技盤の記載を省略した）、図４は図１の遊技機の基枠、前面枠及び施錠機構を後面側から見た分解斜視図である。図１〜図４に示すように、本実施例の遊技機はパチンコ遊技機１であり、所要の奥行きを有する額縁形状に形成された基枠２の前面側に、左側縁が軸着されて前方に開閉可能に組付けられた前面枠３が取り付けられ、該前面枠３に対して左側縁が軸着されて前面側に開閉可能に形成されたガラス枠４（透明板保持枠）が取り付けられている。
【００１９】
なお本発明において、遊技機の前面とは遊技機正面側のことであり、遊技機の左側、右側、上側、下側とは、遊技機を前面から見た場合の左側、右側、上側、下側のことであり、図１において、図中、それぞれ左側、右側、上側、下側のことである。
【００２０】
図３に示すように、前面枠３のガラス枠４の下方には、左側縁が軸着されて前面枠３に対して開閉可能に組み付けられた下皿部材５及び遊技球を発射操作するためのタッチスイッチを備える発射ハンドル１８等が設けられている。下皿部材５には、払い出された遊技球で上皿１２に入りきらない遊技球を貯めることが可能な下皿１５、下皿球出口２４、球抜き操作部１６等が設けられている。
【００２１】
前面枠３は絶縁性の合成樹脂によって一体成形されており、中央上部に遊技盤７を取り付けるための開口部６が設けられ、該開口部６には遊技盤７が組み付けられている。遊技盤７は、前面枠３から脱着可能に取り付けられている。遊技盤７の周縁には、発射装置から発射された遊技球をガイドするための内側ガイドレール９と外側ガイドレール１０からなるガイドレールが、略円形に設けられている。遊技盤７の内側ガイドレール９及び外側ガイドレール１０の一部によって囲まれた部分が遊技領域として形成されている。この遊技領域には、特別図柄表示装置２１等の表示装置、始動入賞装置２２、特別入賞装置２３等の各種入賞装置が設けられている。また遊技領域には、特に図示しないが、複数の釘等が起立している。
【００２２】
図３に示すように、ガラス枠４には、遊技盤７の位置にガラス板２５が配設され、ガラス板２５を通して前面側から遊技盤７を視認可能に形成されている。ガラス枠４には、図１及び図３に示すように、遊技領域へ発射するための遊技球を入れる上皿１２が一体に形成されている。上皿１２には貯留されている遊技球を下皿１５に流下するための上皿操作部１９や、貸し出し可能な貸し球を払い出すための球貸し操作部２０等が設けられている。またガラス枠４の上部左右両側にスピーカ１３が取り付けられ、遊技領域の周囲に装飾ランプ１４が設けられている。
【００２３】
なお本実施例のパチンコ遊技機１では、透明板保持枠は、透明板としてガラス板２５を保持するガラス枠４を用いたが、透明板としてプラスチック板を用いるように構成してもよい。上記ガラス板等の透明板等は、遊技盤７の遊技領域を視認することができる程度の透明性を有していればよい。
【００２４】
図２に示すように、パチンコ遊技機１の基枠２の後面側には、外部端子基板３０、図柄制御基板、主制御基板、音声制御基板、ランプ制御基板等の基板が収容された制御部３１、払出制御基板３５、発射装置制御基板３６、電源基板３７等の各種基板、カードインターフェース接続部３８、球寄せ３９、タンク４０、タンクレール４１、払出装置４２、発射装置８等が設けられている。
【００２５】
パチンコ遊技機１は、発射ハンドル１８の操作により、発射装置８から遊技領域に発射された遊技球が、転動しながら遊技盤７表面を落下し、各入賞装置に入ると、所定の賞球遊技球が球払出口から払い出されるようになっている。
【００２６】
パチンコ遊技機１において前面枠３は、図４に示すように基枠２の前面側に左側縁が軸着されて、基枠２から脱着可能に取付られている。同図に示すように前面枠３の左側縁上下には、係合穴３０１、３０２を有する被係合部が設けられ、基枠２の左側縁上下に軸部材２０１、２０２を有する係合部が設けられている。基枠２の係合部の軸部材２０１、２０２に、前面枠３の被係合部の係合穴３０１、３０２が嵌め込まれることで、前面枠３は基枠２に軸着される。前面枠３は、基枠２の左側縁の軸部材２０１、２０２を回動軸として回動し、基枠２に対して前方に開閉可能に形成されている。
【００２７】
またガラス枠４は、図３に示すように、前面枠３の前面側に前方に開閉可能に組付けられ、前面枠３から脱着可能に取り付けられている。同図に示すようにガラス枠４の左側縁上下には、被係合部４０１、４０２が設けられ、前面枠３の左側縁上下にはガラス枠４の被係合部が係合するガラス枠係合部３１１、３１２が設けられている（図４参照）。ガラス枠４は被係合部４０１、４０２が前面枠３のガラス枠係合部３１１、３１２に係合することで、前面枠３に軸着される。ガラス枠４は、前面枠３の左側縁を回動軸として回動し、前面枠３に対し前方に開閉可能に形成されている。
【００２８】
図４は前面枠、基枠及び施錠機構を示す分解斜視図であり、図５は前面枠を後方から見た斜視図である。図４及び図５に示すように、前面枠３及びガラス枠４の開閉状態を閉状態で施錠するために、施錠機構１００が前面枠３の右側縁部に取り付けられている。図８は施錠機構の分解斜視図である。図４及び図８に示すように、施錠機構１００は、取付板１０１に、シリンダー錠１１０と、連結部材１２０と、移動部材１３０と、前面枠３を閉状態に係止して施錠するための上部第一ロック部材１４０Ｈ及び下部第一ロック部材１４０Ｌからなる第一ロック部材１４０と、ガラス枠４を閉状態に係止して施錠するための上部第二ロック部材１５０Ｈ及び下部第二ロック部材１５０Ｌからなる第二ロック部材１５０とを備えている。
【００２９】
施錠機構１００は、図１に示すように、シリンダー錠１１０の先端が前面に露出し、鍵穴１１１が遊技機１の正面に臨むように取り付けられている。また図４に示すように、第一ロック部材１４０の鈎部が後方側に突出するように設けられ、第二ロック部材１５０の鈎部が前方側に突出するように取り付けられている。この第一ロック部材１４０及び第二ロック部材１５０は、鍵を用いてシリンダー錠１１０を解錠しなければ、前面枠３及びガラス枠４を閉状態で施錠した状態を解除できないように形成されている。
【００３０】
図４に示すように、基枠２の右内側の上端寄りと下端寄りの２箇所には、上部第一ロック部材１４０Ｈ及び下部第一ロック部材１４０Ｌを係止するための被係止部２４０Ｈ、２４０Ｌが取り付けられている。被係止部２４０Ｈ、２４０Ｌは金属板をＬ字状に折り曲げて、その一辺が基枠２にねじ止めされ、他辺が基枠２内側に突出しており、この他辺に上部第一ロック部材１４０Ｈ及び下部第一ロック部材１４０Ｌが係合するように形成されている。
【００３１】
また図３に示すように、ガラス枠４の右端後面の上端寄りと下端寄りの２箇所には、上部第二ロック部材１５０Ｈ及び下部ロック部材１５０Ｌを係止するための被係止部４５０Ｈ及び４５０Ｌが取り付けられている。被係止部４５０Ｈ、４５０Ｌは、水平板と垂直板からなり、断面逆Ｌ字状に、ガラス枠４の後方に突出するように金属板を折り曲げたものであり、上記垂直板に上部第二ロック部材１５０Ｈ及び下部ロック部材１５０Ｌの鈎部が係合するように形成されている。
【００３２】
以下、施錠機構１００について説明する。図６（ａ）は施錠機構の正面図であり、図６（ｂ）は図６（ａ）の背面図であり、図７（ａ）は図６（ａ）の左側面図であり、図７（ｂ）は図６（ａ）の右側面図であり、図８は図６（ａ）の施錠機構の分解斜視図である。図６〜図８に示すように施錠機構１００の取付板１０１は、水平断面がＬ字型の縦長部材として形成され、遊技盤面と平行に形成され遊技機に取り付けた際に前面に位置する前面板１０２と、前面板１０２に対し直角に折り曲げられ遊技機に取り付けた際に左側面に位置する側面板１０３とから構成されている。前面板１０２の右側面には該前面板１０２が後方に折り曲げられてなる保護板１０４が設けられている。
【００３３】
また前面板１０２の下寄りには、シリンダー錠１１０を取り付けるためのシリンダー錠取付部１０５が設けら、シリンダー錠１１０が前面板１０２の前面から前方に突出する状態に固定されている。また側面板１０３のシリンダー錠取付部１０５の部分は、左側方に突出する突出部１０３ｂとして形成されている。
【００３４】
シリンダー錠１１０は、図８に示すように、前方に鍵穴１１１が設けられている筒状のシリンダー部からなる錠本体１１４と、該錠本体１１４の後端に錠本体よりも大径に形成されたフランジ部１１６とから構成されている。シリンダー錠１１０の取付板１０１に対する固定は、前面板１０２に設けられたシリンダー錠取付部１０５に、後面から上下の２箇所をねじ止めして取り付ける。
【００３５】
シリンダー錠１１０は、鍵穴１１１に挿入された鍵１０９の操作と共に作動する作動部として、鍵１０９の回動と同じ方向に回動する錠軸１１２を備えている。シリンダー錠１１０の錠軸１１２の後端に、フランジ部１１６に形成された貫通孔を通過した部分に、連結部材１２０が取り付けられる。連結部材１２０は錠軸１１２と共に回動するように取り付けられている。
【００３６】
図１３はシリンダー錠の正面図であり、（ａ）は待機状態を示し、（ｂ）は第一位置を示し、（ｃ）は第二位置を示す。図１３（ａ）に示すように、シリンダー錠１１０の錠軸１１２は、鍵１０９を挿入しない状態を待機位置とし、同図（ｂ）に示すように上記待機位置から右（時計方向）に約４５度回動させた場合を第一位置とし、同図（ｃ）に示すように上記待機位置から左（反時計方向）に約４５度回動させた場合を第二位置となるように回動可能に形成されている。シリンダー錠１１０は、錠軸１１２が待機位置にある場合にのみ、鍵１０９の抜き出しが可能に形成され、錠軸１１２が第一位置及び第二位置にある場合は鍵１０９の抜き出しが不可能に形成されている。またシリンダー錠１１０は、鍵穴１１１に鍵１０９を奥まで挿入した場合にのみ錠軸１１２が回動するが、鍵１０９を鍵穴１１１から抜いた状態では錠軸１１２が回動しないように形成されている。すなわち、鍵１０９を鍵穴１１１から抜いて、鍵穴１１１に鍵１０９を挿入しない状態では、錠軸１１２に連結されている連結部材１２０に力を加えて回動させようとした場合、連結部材１２０側から錠軸１１２を回動しようとしても、シリンダー錠１１０自体に連結ロック機構が設けられていて、錠軸１１２が回動しないように形成されている。尚、図１３（ｂ）、（ｃ）は、便宜上、鍵穴１１１に鍵１０９を挿入しない状態で、錠軸１１２の第一位置及び第二位置を示したが、実際は鍵穴１１１に鍵１０９を挿入しないと、錠軸１１２を回動させることも鍵１０９を抜くこともできない。
【００３７】
シリンダー錠１１０の連結ロック機構としては、公知の手段を用いることができる。このような連結ロック機構を有するシリンダー錠の一例として、例えば特開２００２−２５６７３６号公報に記載のシリンダー錠が挙げられる。図９はシリンダー錠の一例を示す断面図である。図９のシリンダー錠１１０は、鍵穴１１１の内端部に直径方向に防護用ピン受孔を錠軸１１２に形成し、防護用ピン受孔に対面する錠止孔１１３を錠本体１１４に形成し、防護用ピン１１５をばねによって錠止孔１１３に付勢し、防護用ピン１１５の周面にテーパー状のカム溝１１５aを形成し、鍵１０９の先端に該カム溝１１５ａに入り込む操作突起を設けたものである。
【００３８】
このシリンダー錠１１０は、鍵１０９を抜いた状態では、防護用ピン１１５が錠止孔１１３に入り込んだ状態なので、連結ロック機構が働いている状態となり、錠軸１１２は回動できないようになっている。これに対し鍵１０９を差し込むと、鍵１０９先端の操作突起が防護用ピン１１５のカム溝１１５ａに入り込み、ばねの付勢に抗して防護用ピン１１５の先端部が錠本体１１４の錠止孔１１３から錠軸１１２内に没入し、錠軸１１２の錠本体１１４に対する回転拘束が解除されて錠軸１１２が回動可能となる。このように連結ロック機構が解除されることで、錠軸１１２に取り付けられている連結部材１２０が回動可能となる。
【００３９】
図１０（ａ）は図８の組み立て状態を示す斜視図であり、（ｂ）は（ａ）のシリンダー錠付近の拡大図である。尚、図１０（ａ）、（ｂ）は、シリンダー錠１１０の錠軸が待機位置にある状態を示している。図８及び図１０（ａ）、（ｂ）に示すように、連結部材１２０は、シリンダー錠１１０に設けられている錠軸１１２（作動部）に連設され、中心にシリンダー錠１１０の錠軸１１２の後端が嵌合する貫通孔が設けられ円盤状に形成された取付部１２３と、該取付部１２３から突出して前記錠軸１１２の作動に連動して動く第一突起１２１及び第二突起１２２とから構成される。連結部材１２０の第二突起１２２は、遊技機前面側から見て取付部１２３から左斜め上方に突出し先端部分が水平に折れ曲がるように形成されている。連結部材１２０の第一突起１２１は取付部１２３から左斜め下方に突出し先端部分が水平に折れ曲がるように形成されている。
【００４０】
図８に示すように、移動部材１３０は取付板１０１の側面板１０３に沿う板状体からなり、側面板の突出部１０３ｂに対応する部分が連結部１３０ｂとして形成されている。移動部材１３０の連結部１３０ｂには、連結部材１２０の第一突起１２１と第二突起１２２が各々挿入可能な第一連結孔１３１と第二連結孔１３２とが設けられている。
【００４１】
第一連結孔１３１は上下の長さが、第一突起１２１の先端の上下の厚みと略同じ大きさ或いはやや大きめの四角形の貫通孔として形成され、その貫通孔の上端の上下方向の位置が第一突起１２１の上面と略同じ位置或いはやや高めになるように形成されている。第二連結孔１３２は上下の長さが、第二突起１２２の先端の上下の厚みよりも長い縦長の四角形の貫通孔として形成され、その貫通孔の下端の上下方向の位置が、第二突起１２２の下面と略同じ位置或いはやや低めになるように形成されている。また側面板１０３の突出部１０３ｂの、第一連結孔１３１及び第二連結孔１３２に対応する位置には、側面板１０３を貫通する長孔１０３ｆが設けられている。
【００４２】
移動部材１３０は、シリンダー錠に鍵を差し込んで回動させることで、鍵１０９と共に錠軸１１２が回動し連結部材１２０が回動すると、連結部材１２０の動きに連動して、上方に移動〔図１１（ｂ）参照〕、或いは下方に移動〔図１１（ｃ）参照〕するように形成されている。
【００４３】
尚、シリンダー錠１１０の錠軸１１２が待機位置にあっても、シリンダー錠１１０の鍵穴１１１に鍵１０９を挿入して錠軸１１２の連結ロック機構が解除された状態になると、連結部材１２０が左右方向の何れにも回動可能になるため、移動部材１３０は上方又は下方への移動の規制が解除されて、遊技機裏面側から移動部材１３０が上方又は下方に任意に移動が可能となる。
【００４４】
図６〜図１０に示すように、側面板１０３の右側面に、前面枠３を基枠２に係止して施錠状態とするための係止部材として、上部第一ロック部材１４０Ｈと下部第一ロック部材１４０Ｌが取り付けられている。上部第一ロック部材１４０Ｈと下部第一ロック部材１４０Ｌは、その取付位置が相違するだけで、形状及び機能共に同一に形成されている。以下、これらをまとめて前面枠ロック部材１４０（第一ロック部材１４０）として説明する。前面枠ロック部材１４０は、移動部材１３０の上下動に連動して、後端が傾動するように取り付けられている。前面枠ロック部材１４０は、移動部材１３０の移動に起因して作動し、前面枠３を開閉可能とするものである。
【００４５】
また、側面板１０３の右側面に、ガラス枠４を前面枠３に係止して施錠状態とするための係止部材として、上部第二ロック部材１５０Ｈと下部第二ロック部材１５０Ｌが取り付けられている。上部第二ロック部材１５０Ｈと下部第二ロック部材１５０Ｌは、その取付位置が相違するだけで、形状及び機能共に略同一に形成されている。以下、これらをまとめてガラス枠ロック部材１５０（第二ロック部材１５０）として説明する。ガラス枠ロック部材１５０は、移動部材１３０の上下動に連動して、上下に移動するように取り付けられている。ガラス枠ロック部材１５０は、移動部材１３０の移動に起因して作動し、ガラス枠４を開閉可能とするものである。
【００４６】
図７（ｂ）及び図８に示すように、取付板の側面板１０３には、前面枠ロック部材１４０及びガラス枠ロック部材１５０の右側面に重ねて、移動部材１３０が配置される。前面枠ロック部材１４０及びガラス枠ロック部材１５０は、移動部材１３０と取付板の側面板１０３との間に挟持されるように取り付けられている。
【００４７】
図７（ａ）、（ｂ）、図８及び図１０に示すように、前面枠ロック部材１４０は、取付板１０１に取り付けられる、平板状部材に貫通孔からなる取付孔１４６が設けられた取付部１４１と、先端が先細な略三角形の平板状に形成され、上辺の途中に上部が開口する凹陥部１４２が設けられた係止部１４３とから構成されている。さらに前面枠ロック部材１４０の取付部１４１側の端部には、右側面に起立する移動用突起１４４が設けられている。またこの移動用突起１４４には、スプリング係止溝１４５が設けられている。
【００４８】
前面枠ロック部材１４０は、係止部１４３が取付板１０１の側面板１０３の後端から後方に突出するように、側面板１０３に取り付けられている。側面板１０３には、前面枠ロック部材１４０を取付るための貫通孔１０３ｃが設けられている。前面枠ロック部材１４０は、側面板１０３の右面側に取付孔１４６側から取付ピンを挿入し先端を側面板の左側面から出して、その部分をかしめることで取り付けられている。第一ロック部材１４０は、取付ピンを軸として回動可能である。
【００４９】
さらに前面枠ロック部材１４０のスプリング係止溝１４５と、前面板１０２の該スプリング係止溝１４５よりも下方に設けられているスプリング係止部１０２ｂに、付勢手段としてコイルスプリング１６１の両端が引っ掛けられて係止されている〔図１０（ｂ）及び図１２（ａ）参照）〕。尚、図１２以外の図面では、コイルスプリングの記載を省略した。前面枠ロック部材１４０は、コイルスプリング１６１により取付部１４１側が下方に引張られる方向（係止部１４３後端の上方）に付勢されている。
【００５０】
図８に示すように、側面板１０３の前面枠ロック部材１４０の下辺の下側には、前面枠ロック部材１４０の動きを規制するために、右側に突出する凸部からなるストッパ１０３ｄ、１０３ｅが設けられている。ストッパ１０３ｄは、取付孔１４６よりも前面板１０２側に設けられ、ストッパ１０３ｅはストッパ１０３ｄよりも後側に設けられている。前面枠ロック部材１４０のコイルスプリング１６１による下方への付勢は、ストッパ１０３ｄにより規制され、係止部１４３の先端が下に傾かず、前面枠ロック部材１４０の下辺が略水平な状態に保持されている。このように付勢された状態は、シリンダー錠１１０の錠軸１１２が待機位置の場合に該当する。これに対し前面枠ロック部材１４０がコイルスプリングの付勢に抗して傾動して係止部１４３の先端が下方に傾いた場合、前面枠ロック部材１４０の下辺がストッパ１０３ｅに当接して傾動が停止するように形成されている。
【００５１】
移動部材１３０には前面枠ロック部材１４０の移動用突起１４４に係合する切り欠き状の長溝１３３が設けられている。移動用突起１４４の下面は長溝１３３の下端と当接するように配置されている。
【００５２】
図６（ａ）、図７（ａ）、（ｂ）及び図８に示すように、ガラス枠ロック部材１５０は、縦長平板部材からなり縦長貫通孔からなる取付孔１５２が設けられ、取付板１０１表面を摺動する取付部１５１と、該取付部１５１の中程部から前面側に鈎状に突出する係止部１５３とから構成されている。さらにガラス枠ロック部材１５０の係止部１５３側の下端部後方には、右側面側に起立する移動用突起１５４が設けられている。また取付部１５１にはコイルスプリングを係止するためのスプリング係止溝１５５が設けられている。
【００５３】
ガラス枠ロック部材１５０は、係止部１５３が取付板１０１の前面板１０２よりも前方に突出するように前面板１０２及び側面板１０３には切り欠きが設けられている。側面板１０３には、ガラス枠ロック部材１５０を取付るための貫通孔１０３ｇが設けられている。ガラス枠ロック部材１５０は、側面板１０３の右面側に配置されさらに右側面に移動部材１３０が重ねられて、側面板１０３と移動部材１３０との間に挟まれた状態で取り付けられている。移動部材１３０のガラス枠ロック部材１５０に対応する位置には、前部長溝１３５、後部長溝１３６及び中央の長孔１３７が設けられている。ガラス枠ロック部材１５０の取付は、移動部材１３０の長孔１３７側から取付ピンを挿入し、取付板の側面板１０３の左側面から出た取付ピン（図示しない）の先端をかしめて取付られている。ガラス枠ロック部材１５０は、側面板１０３と移動部材１３０との間に挟持され、移動用突起１５４が移動部材の後部長溝１３６に係止され、スプリング係止溝１５５の部分が移動部材の前部長溝１３５から露出して、上下に摺動可能に取り付けられてる。
【００５４】
さらにガラス枠ロック部材１５０のスプリング係止溝１５５と、前面板１０２の該スプリング係止溝１５５よりも上方に設けられているスプリング係止部１０２ｇに、付勢手段としてコイルスプリング１６２の両端が引っ掛けられて係止されている〔図１２（ａ）参照）〕。ガラス枠ロック部材１５０は、コイルスプリング１６２により上方に引張られる方向に付勢されている。このように付勢された状態は、シリンダー錠１１０の錠軸１１２が待機位置の場合に該当する。また同図に示すように、ガラス枠ロック部材１５０は、移動用突起１５４の上面が移動部材１３０の後部長溝１３６の上端に当接するように係合している。
【００５５】
図１１（ａ）〜(c)は施錠機構の背面のシリンダー錠付近の要部断面図であり、（ａ)はシリンダー錠の錠軸（作動部）が待機位置にある場合を示し、同図（ｂ）は錠軸が第一位置にある場合を示し、同図(c)は錠軸が第二位置にある場合を示すものである。また図１２（ａ)〜(c)は、それぞれ図１１（ａ）〜（ｃ）に対応する施錠機構の右側面図である。なお、図１２（ａ）〜（ｃ）は取付け板１０１の右側面の保護板１０４の部分を取り除いた状態を示した。
【００５６】
図１１（ａ）に示すように、シリンダー錠の錠軸１１２（作動部）が待機位置にある場合、連結部材１２０は、第一突起１２１の先端１２１ａが移動部材１３０の第一連結孔１３１に進入し、第二突起１２２の先端１２２ａが移動部材１３０の第二連結孔１３２に進入した状態になっている。そして、シリンダー錠１１０に鍵１０９が挿入されていない状態では、シリンダー錠１１０の連結ロック機構が作動しており、錠軸１１２が回動しないようにロックされている。錠軸１１２の回動がロックされていると、連結部材１２０も回動が規制されてロック状態にある。
【００５７】
このように錠軸１１２が待機位置にあり、鍵１０９を鍵穴１１１から抜いた状態では、移動部材１３０を上方に移動させようとした場合、連結部材１２０の第二突起の先端部１２２ａの下面に移動部材１３０の第二連結孔１３２の下端が当接して、連結部材１２０の回動がロックされているので、連結部材１２０によって移動部材１３０の上方への移動が規制される。また移動部材１３０を下方に移動させようとした場合、第一突起の先端部１２１ａの上面に移動部材１３０の第一連結孔１３１の上端が当接して、連結部材１２０の回動がロックされているので、連結部材１２０により移動部材１３０の下方への移動が規制される。従って、外部から移動部材１３０を不正に操作して上方及び下方のいずれかに移動させようとしても、シリンダー錠１１０に鍵１０９が差し込まれていない場合は、移動部材１３０はロックされた状態にあって上下に移動させることができない。
【００５８】
図１２（ａ）に示すように、シリンダー錠の錠軸１１２（作動部）が待機位置にある場合、施錠機構１００の前面枠ロック部材１４０はコイルスプリング１６１により前方先端の取付部１４３が下方に付勢されているので、後方先端の係止部１４１が下方に傾かない状態に保持されている。この状態では、係止部１４１は基枠２の被係止部２４０に係止した状態に保持され、前面枠３は基枠２に対して施錠した状態となって、前面枠３の開閉状態が閉状態で維持される。そしてシリンダー錠１１０に鍵１０９が差し込まれていないと、移動部材１３０を上下に移動できないので、移動部材１３０を移動させて前面枠３を不正に解錠する行為を防止できる。
【００５９】
また施錠機構１００のガラス枠ロック部材１５０は、コイルスプリング１６２により取付部１５１が上方に付勢された状態に保持され、係止部１５３も上方に付勢されて下方に移動しないように保持されている。この状態では、係止部１５３はガラス枠４の被係止部４５０に係止した状態に保持されるから、ガラス枠４は前面枠３に対して施錠した状態となって、ガラス枠の開閉状態が閉状態で維持される。そしてシリンダー錠１１０に鍵１０９が差し込まれていないと、移動部材１３０を上下に移動できないので、移動部材１３０を移動させてガラス枠４を不正に解錠する行為を防止できる。
【００６０】
図１１（ｂ）に示すように、シリンダー錠１１０に鍵１０９を差し込んで回動させ待機位置から第一位置にした場合、錠軸１１２に連設された連結部材１２０は、第一突起１２１の先端が上方に向かうように回動する。第一突起１２１は、その上面が移動部材１３０の第一連結孔１３１の上端に当接しながら、上方に移動するので、第一突起１２１に押されて移動部材１３０が上方に移動する。このとき、第二突起１２２は、待機位置と異なり第二連結孔１３２に進入した状態から後退して、第二突起１２２の下面が第二連結孔１３２の下端に当接しない状態となるので、移動部材１３０の上方への移動を妨げない。
【００６１】
図１２（ｂ）に示すように、シリンダー錠の錠軸１１２を第一位置に移動して移動部材１３０を上方に移動させると、前面枠ロック部材１４０の移動用突起１４４は、長溝１３３の下側と当接しているので、コイルスプリング１６１の付勢に抗して移動部材１３０に押し上げられて上方に移動する。前面枠ロック部材１４０は移動用突起１４４が上方に移動すると、取付ピンを軸として回動するので、係止部１４３の先端が下方を向くように傾動する。傾動した前面枠ロック部材１４０は、下辺がストッパ１０３eに当接したところで傾動を停止する。
【００６２】
図１２（ｂ）に示すように、前面枠ロック部材１４０の係止部１４１後端が下方に傾くと、基枠２の被係止部２４０に係合している係止部１４１の凹陥部１４２が外れ、閉状態に保持されていた状態が解除され、前面枠３が基枠２から開放可能となる。すなわち、この前面枠ロック部材１４０の位置は、前面枠３が基枠２から開放可能となる位置である。
【００６３】
また錠軸１１２を第一位置とした場合、移動部材１３０が上に移動するが、ガラス枠ロック部材１５０の移動用突起１５４は、移動部材１３０の後部長溝１３６内を移動するだけで、移動部材１３０に当接しないので、ガラス枠ロック部材１５０は静止した状態に維持される。
【００６４】
このとき、前面枠ロック部材１４０はコイルスプリング１６１によって、取付部１４３の前端が下方に付勢されている。鍵１０９を錠軸１１２が第一位置になるように回動させた状態から、鍵１０９を回動していた力を緩めると、コイルスプリング１６１の反発力によって、前面枠ロック部材１４０の取付部１４３が下方に移動し、係止部１４１が上向きに傾動する。前面枠ロック部材１４０の移動突起１４４が、移動部材１３０の長溝１３３の下端に当接して移動部材１３０を押し下げて下方に移動させる。移動部材１３０及び前面枠ロック部材１４０は、図１１（ａ）及び図１２（ａ）に示す待機位置の状態に戻る。
【００６５】
前面枠ロック部材１４０の上部第一ロック部材１４０Ｈ及び下部第一ロック部材１４０Ｌは、移動部材１３０の上への移動に同時に連動して傾動し、基枠２の上の被係止部２４０Ｈ及び下の被係止部２４０Ｌとの係合が同時に外れる。また、移動部材１３０が元の待機位置の状態に戻ると、前面枠ロック部材１４０の上部第一ロック部材１４０Ｈ及び下部第一ロック部材１４０Ｌは、付勢手段の付勢によって同時に元の位置に戻る。
【００６６】
尚、前面枠ロック部材１４０は、後端側を下に押すと、スプリング１６１の付勢に抗して傾動させることができる。このとき、前面枠ロック部材の移動用突起１４４は、移動部材１３０の長溝１３３内を上下に移動できるので、移動部材１３０が動かすことなく自由に傾動させることができる。従って、前面枠３を基枠２に対して前方から押し込むと、前面枠ロック部材１４０の係止部１４１の上辺が基枠２の被係止部２４０の下辺に当接しながら傾動し、凹陥部１４２のところでコイルスプリング１６１による付勢力で、係止部１４１と被係止部とが係合する。このように前面枠３を閉じる場合は、鍵１０９をシリンダー錠１１０に挿入した状態でも、鍵１０９から抜いた状態のいずれでも、前面枠３を基枠２に押し込むことで閉状態で施錠できる。
【００６７】
図１１（ｃ）に示すように、シリンダー錠１１０に鍵１０９を差し込んで回動させ待機位置から第二位置にした場合、錠軸１１２に連設された連結部材１２０は、第二突起１２２の先端が下方に向かうように回動する。第二突起１２２は、その下面が移動部材１３０の第二連結孔１３２の下端に当接しながら、下方に移動するので、移動部材１３０は第二突起１２２に押されて下方に移動する。このとき、第一突起１２１は、待機位置と異なり第一連結孔１３１に進入した状態から後退して、第一突起１２１の上面が第一連結孔１３１の上端に当接しない状態となるので、移動部材１３０の下方への移動を妨げない。
【００６８】
図１２（ｃ）に示すように、シリンダー錠の錠軸１１２を第二位置に移動して移動部材１３０を下方に移動させると、ガラス枠ロック部材１５０は、移動用突起１５４が後部長溝１３６の下側と当接しているので、コイルスプリング１６２の付勢に抗して移動部材１３０によって下側に押し下げられて、下方に移動する。ガラス枠ロック部材１５０は移動用突起１５４が下方に移動すると、取付部１５１が下方に摺動し、係止部１５３も下方に移動する。
【００６９】
ガラス枠ロック部材１５０が下方に移動すると、ガラス枠４の被係止部４５０と係止部１５３との係合が外れて、閉状態に保持されていた状態が解除され、ガラス枠４が前面枠３から開放可能となる。すなわち、このガラス枠ロック部材１５０の位置が、ガラス枠４が前面枠３から開放可能となる位置である。
【００７０】
また錠軸１１２を第二位置とした場合、移動部材１３０が下方に移動するが、前面枠ロック部材１４０の移動用突起１４４は、移動部材１３０の長溝１３３内を移動するだけで、移動部材１３０に当接しないので、前面枠ロック部材１４０は静止した状態に維持される。
【００７１】
このとき、ガラス枠ロック部材１５０は、コイルスプリング１６２によって、取付部１５１が上方に付勢されている。鍵１０９を錠軸１１２が第二位置になるように回動させた状態から、鍵１０９を回動していた力を緩めると、コイルスプリング１６２の反発力によって、ガラス枠ロック部材１５０の取付部１５１が上方に移動し、取付部１５１も上方に移動する。ガラス枠ロック部材１５０は移動用突起１５４が、移動部材１３０の後部長溝１３６の上端に当接して移動部材１３０を押し上げげ上方に移動させる。移動部材１３０及びガラス枠ロック部材１５０は、図１１（ａ）及び図１２（ａ）に示す待機位置の状態に戻る。
【００７２】
ガラス枠ロック部材１５０の上部第二ロック部材１５０Ｈ及び下部第二ロック部材１５０Ｌは、移動部材１３０の下への移動に同時に連動して下に移動し、ガラス枠４の上の被係止部４５０Ｈ及び下の被係止部４５０Ｌとの係合が同時に外れる。また、移動部材１３０が元の待機位置の状態に戻ると、ガラス枠ロック部材１５０の上部第二ロック部材１５０Ｈ及び下部第二ロック部材１５０Ｌは、付勢手段の付勢によって同時に元の位置に戻る。
【００７３】
尚、ガラス枠ロック部材１５０は、係止部１５３を下に押すと、スプリング１６２の付勢に抗して下方に移動させることができる。このとき、ガラス枠ロック部材の移動用突起１５４は、移動部材１３０の後部長溝１３６内を上下に移動できるので、移動部材１３０を動かすことなく自由に上下動させることができる。従って、ガラス枠４を前面枠３に対して前方から押し込むと、ガラス枠ロック部材１５０の係止部１５３の先端上面が前面枠３の被係止部３４０の下辺に当接しながら下方に移動し、段差のところに来るとコイルスプリング１６２による付勢力で、係止部１５３と被係止部３４０とが係合する。このようにガラス枠４を閉じる場合は、鍵１０９をシリンダー錠１１０に挿入した状態でも、鍵１０９をシリンダー錠１１０から抜いた状態のいずれでも、ガラス枠４を前面枠３に押し込むことで閉状態に施錠することができる。逆にガラス枠４を閉じた状態にするとガラス枠ロック部材１５０の係止部１５３はガラス枠４と前面枠３とによって遊技機前面側や遊技機裏面側から視認できない状態となるので、ガラス枠ロック部材１５０を操作することが困難となる。その為、ガラス枠４を閉じた場合は鍵を使用しない限りガラス枠ロック部材１５０の係止は解除できないので、ガラス枠４を不正に開放することを防止することが可能となる。
【００７４】
本発明遊技機は、施錠機構１００として連結部材が作動部の作動に連動可能であり、移動部材が連結部の動きに連動するものであればよく、上記の態様に限定されるものではない。図１４は本発明遊技機の他の例を示すものであり、施錠機構の背面のシリンダー錠付近の要部断面図である。以下、図１４に示す例の施錠機構について説明する。尚、上記実施例の施錠機構と同じ構成については、同一の符号を付して説明を省略し異なる部分について説明する。図１４に示す施錠機構１００は、連結部材１２０の上下方向の中央部辺りに突起１２５を一つ設け、移動部材１３０に突起１２５が係合する開口部１３８を設けて構成したものである。開口部１３８は、移動部材１３０の後方側又は前方側に開口する溝状に形成され、開口側から突起１２５が嵌めまれている。錠軸１１２の回動により連結部材１２０を回動させ、連結部材１２０の突起１２５が開口部１３８に嵌め込まれた移動部材１３０を上方又は下方に移動させるように形成されている。
【００７５】
図１４に示すように、上記施錠機構１００において、突起１２５の上下の厚みと開口部１３８の上下の長さを略同じ大きさに形成する方法や、若しくは／さらに、突起１２５の先端には、前記移動部材１３０の開口部１３８の端部の壁の部分に引っ掛かかり、移動部材１３０を上下に移動させるための爪部１２６、１２７を上下方向に突出して設けることが、前記移動部材１３０の上下の移動をスムーズに行うことが可能となる。
【００７６】
上記実施例は、パチンコ遊技機を例として説明したが、本発明遊技機は、パチンコ遊技機に限らず、スロットマシン等に適用しても良い。
【図面の簡単な説明】
【００７７】
【図１】本発明遊技機の一実施例を示す正面図である。
【図２】図１の背面図である。
【図３】前面枠からガラス枠を開放した状態を示す斜視図である。
【図４】前面枠、基枠及び施錠機構を示す分解斜視図である。
【図５】前面枠を後方から見た斜視図である。
【図６】（ａ）は施錠機構の正面図であり、（ｂ）は図６（ａ）の背面図である。
【図７】（ａ）は図６（ａ）の左側面図であり、（ｂ）は図６（ａ）の右側面図である。
【図８】図６（ａ）の施錠機構の分解斜視図である。
【図９】シリンダー錠の一例を示す断面図である
【図１０】（ａ）は図８の組み立て状態を示す斜視図であり、（ｂ）は図１０（ａ）のシリンダー錠付近の拡大図である。
【図１１】（ａ）〜(c)は施錠機構の背面のシリンダー錠付近の要部断面図であり、（ａ)はシリンダー錠の錠軸（作動部）が待機位置にある場合を示し、（ｂ）は錠軸が第一位置にある場合を示し、 (c)は錠軸が第二位置にある場合を示す。
【図１２】（ａ)〜(c)は、それぞれ図１１（ａ）〜（ｃ）に対応する施錠機構の右側面図である。
【図１３】シリンダー錠の正面図であり、（ａ）は待機状態を示し、（ｂ）は第一位置を示し、（ｃ）は第二位置を示す。
【図１４】本発明遊技機の他の例を示すものであり、施錠機構の背面のシリンダー錠付近の要部断面図である。
【図１５】従来の遊技機の施錠機構を示す斜視図である。
【図１６】従来の遊技機の施錠機構を示す側面図である。
【符号の説明】
【００７８】
１  パチンコ遊技機
２  基枠
３  前面枠
４  ガラス枠（透明板保持枠）
１００  施錠機構
１０９  鍵
１１０  シリンダー錠
１１２  錠軸（作動部）
１２０  連結部材
１２１  第一突起
１２２  第二突起
１２５  突起
１３０  移動部材
１３１  第一連結孔
１３２  第二連結孔
１３８  開口部
１４０  前面枠ロック部材（第一ロック部材）
１４０Ｈ  上部第一ロック部材
１４０Ｌ  下部第一ロック部材
１５０  ガラス枠ロック部材（第二ロック部材）
１５０Ｈ  上部第二ロック部材
１５０Ｌ  下部第二ロック部材
１６１、１６２  コイルスプリング（付勢手段）
【図１】
2008245919.tif 000003
【図２】
2008245919.tif 000004
【図３】
2008245919.tif 000005
【図４】
2008245919.tif 000006
【図５】
2008245919.tif 000007
【図６】
2008245919.tif 000008
【図７】
2008245919.tif 000009
【図８】
2008245919.tif 000010
【図９】
2008245919.tif 000011
【図１０】
2008245919.tif 000012
【図１１】
2008245919.tif 000013
【図１２】
2008245919.tif 000014
【図１３】
2008245919.tif 000015
【図１４】
2008245919.tif 000016
【図１５】
2008245919.tif 000017
【図１６】
2008245919.tif 000018